(57)【要約】【課題】本発明は、建物上部の空間を隔てる屋根を取り除き、建物上部の光、空気、音等の流れを遮断する事無く解放感を確保し、空気の流れによって雨滴の落下角度を変え、建物内への雨滴の進入を防ぐ事の出来る送風型防雨設備を得る事にある。【解決手段】建物上部に複数台取り付けられた送風機により、建物上部全体に一定の空気の流れを作り、その空気の流れにて曲げられた雨滴を、送風機前方に取り付けられた防雨板にて受け、樋を通じて雨滴を建物外に流す。【選択図】図1
2015137463.tif 000002
【特許請求の範囲】
【請求項１】
建物上部の梁に送風機を複数台並べて設置し、降雨時に前記送風機を動作させ一定方向の空気の流れを作り、その空気の流れにて曲げられた雨滴を、剛性の防雨板に当てる事を特徴とした送風型防雨設備。
【請求項２】
前記防雨板下部には樋が備わっており、防雨板に当たった雨滴は前記樋を通じて建物外部に排除される事を特徴とする請求項１に記載の送風型防雨設備。
【請求項３】
建物上部の一定方向に傾斜した梁に送風機を複数台設置し、前記送風機によって作られた空気の流れに対して垂直に配置され、前記送風機の空気の流れによって曲げられた雨滴を受ける剛性の梁に付随した板を有し、前記送風機に曲げられた雨滴を集約するための部分を前記剛性の梁に付随した板の先端に有し、また送風機と梁の設置面の延長上に雨粒を受け集約するための部分を有することを特徴とした送風型防雨設備。
【発明の詳細な説明】
【技術分野】
【０００１】
本発明は、建物の上部に送風設備を設け、雨が降ったときに建物内部に雨がかからないようにする送風型防雨設備に関するものである。
【背景技術】
【０００２】
本来建物の防雨設備は屋根であり、建物上部を屋根で覆う事で建物内部へ降りかかる雨を遮断するのが普通である。つまり、屋根上部空間と下部空間を隔てる物体が介在し、空間を分ける事で建物内部への雨の進入を遮っている。
しかしながら、従来の防雨設備である屋根には、空間を隔ててしまうという欠点がつきまとい、建物内部の閉そく感、空気の上下循環の遮断、音の遮蔽、直接光の遮蔽など、場合により欠点となる多くの要素を含んでいる。
【先行技術文献】
【特許文献】
【０００３】
【特許文献１】特開平11-6329号公報
【発明の概要】
【発明が解決しようとする課題】
【０００４】
上記特許文献1に記載されている雨よけ設備では、圧縮空気を噴き出して雨滴を排除するノズルを屋根面に多数並べて設置し、配管を介して圧縮空気を送り、ノズルから一斉に噴出させて屋根面にエアーカーテンを形成することにより、雨滴を吹き払うという手法にて前記屋根の欠点を解決している。
しかし、この設備の場合、雨滴を吹き払う面積が広くなるに連れ、すべてのノズルから吹き出す風圧を一定に維持することが難くなる。更に、雨の落下速度とノズルから噴出させる風圧に応じてノズルを連続的に傾斜配置させる必要がある事から、地面と平行に近い構造の屋根面を形成する事が難しく、前述同様に広い面積の雨を排除しようとした場合、利用する事が困難である。
【０００５】
本発明は、以上のような従来の屋根の欠点に鑑み、空間を隔てる事なく、建物内への雨の進入を遮断することのできる設備を実現することである。
また、本発明では広い面積を有する建物でも利用可能なよう、防雨面積に関わらず、建物内への雨の進入を遮断できる送風型防雨設備を提供する事を目的としている。
【課題を解決するための手段】
【０００６】
上記目的を達成するため、本発明に関わる送風型防雨設備は、建物上部の全体に同一方向に対して一定以上の風速を保てるよう、送風機複数台を設置したものである。
前記、送風機によって風圧を受けた雨滴は送風機の風圧に応じて水平方向に曲げられ風圧に応じた傾斜角度がつき落下する。その雨滴は送風機の前方に位置する梁に取り付けられた防雨板に当たり、防雨板下部に有する樋に集まり、樋の傾斜に従って建物外部に流れていくようにしたものである。
【０００７】
前記防雨板は地面に対して垂直方向への長さが短く、垂直に近い角度にて取り付けられる方が、建物下部からの開放感はより増す事になる。しかし、送風機によって曲げられる雨滴の落下角度と防雨板での雨の跳ね返りに応じて、防雨板の長さを調整し、傾斜を付ける方がより高い防雨効果を得る事が出来る。  即ち、建物の利用用途に応じて、送風機の風速、防雨板の長さ、傾斜角度を調整するのが望ましい送風型防雨設備である。
【０００８】
本発明に関わる送風型防雨設備は、前述構造の防雨機構を建物上部に複数有する事で、建物内部への雨の進入を遮断するようにしたものである。
【発明の効果】
【０００９】
以上の説明から明らかなように、本発明にあっては次に列挙する効果がえられる。
【００１０】
・  傾斜した梁に、防雨板、送風機、樋を設置して構成されている防雨設備なので、広い面積の雨滴を安定的に排除する事が出来る。
【００１１】
・  一般的な空間を隔てる屋根で覆われていない為、空気、光、音、などを遮断する事無く、開放的な施設に防雨効果をもたらす事が出来る。
【００１２】
・  梁の間隔、防雨板の長さ、送風機の出力なども、施設の利用用途に応じて自由に設計出来る事から、目的に応じて設計の自由度が大きい。
【００１３】
・  芝生を利用した体育施設などの場合には、送風機を停止させる事で雨を受け入れる事も可能となる。
【図面の簡単な説明】
【００１４】
【図１】本発明に係る送風型防雨設備の実施形態例を模式的に示す斜視図と構造を示す為に斜視図の一部を拡大した側面図である。
【図２】本発明に係る送風型防雨設備の実施形態例を模式的に示す斜視図である。
【図３】防雨原理を説明した側面図である。
【発明を実施するための形態】
【００１５】
以下、本発明の実施の形態を、図面を参照して説明する。図１は本発明の送風型防雨設備をテニスコートの上部に適用した斜視図、図２はその斜視図の一部を拡大し、構造を示す側面図である。
【００１６】
図1は、テニスコートの上部に梁が2.5m間隔で若干の傾斜を付け平行に取り付けられている。その梁の上部には送風機が風の流れが上部全体に出来るように配置され、配置された送風機は全て防水仕様になっており、騒音が出ないように静音タイプの物が採用されている。
【００１７】
各梁の下部には、風の向きに対し後方に1.5mの防雨板が25°の傾斜を付けて取り付けられており、防雨板の最下部は樋になっている。
【００１８】
また、梁の風の向きに対し前面上部にも防雨板最下部同様に樋が設置されており、梁に付着し落下する雨滴を受け止め、テニスコートに滴が落下しないような構造になっている。
【００１９】
なお、図には明記されていないが、本送風機の電源設備には、感雨センサーが取り付けられており、雨が降ると自動的に送風機の電源が入り、止むと電源が切れるしくみとなっている。
【００２０】
本発明の送風型防雨設備が雨を建物内に侵入させない原理を図４に基づいて説明する。雨滴の落下速度は、雨滴の大きさよって大きく異なるが、土砂降りの雨の場合で凡そ雨滴の直径は3〜4mm、落下速度は9m/sとなる。  その場合を想定し、図４の落下速度Aを9m/sと仮定する。送風機より送られる風の強さは梁の間隔と防雨板の長さにより調整されるものではあるが、本実施例の場合、風速10m/sとなっている。
【００２１】
落下速度9m/sで落下してきた雨滴は、送風機の作る空気の流れの層に当たると空気の流れの方向（図４の場合、右側）に流され、落下傾斜角Vは(90°-v)
, tanv=A/Bとなる。  Bの風速は雨滴の落下速度Aより大きく、更に空気の流れの層は送風機による上部方向への風により厚くなっており、傾斜角Vは45°以上となる。
よって、雨滴の落下は樋c2の角と水平方向を結ぶ線Ｉより45°以上にはならず、防雨板に全て当たる事になる。
防雨板に当たった雨滴は、樋c1に集まり、梁に僅かな傾斜が付けて取り付けられている事から、雨滴は樋を伝わり建物の片側外部に流れて出て行く事になる。
【００２２】
上部の開放感をより得たい場合には、送風機の風速を上げる事により、梁の間隔を更に広くしたり、防雨板の長さを短くしたりする事も可能であり、本設備を利用する為の目的に応じて調整可能である事も利点である。
【００２３】
本発明の送風型防雨設備は、送風機より割と大きい騒音が発生する為、防雨板に防音構造を有するものを利用し、防音板にて上部周囲を囲む等すると、更に快適な送風型防雨設備となる。
【産業上の利用可能性】
【００２４】
光、雨など必要とする芝生を利用した体育施設や、開放感を必要とする体育施設や野外のステージなどに利用できる。
【符号の説明】
【００２５】
ａ  送風機
ｂ  防雨板
ｃ１  樋
ｃ２  樋
ｄ  梁
【図１】
2015137463.tif 000003
【図２】
2015137463.tif 000004
【図３】
2015137463.tif 000005